(57)【要約】【課題】本考案は衣類等の収納容器で積層保管しやすく、収納物が崩れにくくまた収納物の収納と取出しが容易な収納容器を提供する事を目的とする。【解決手段】本考案に係る収納容器は底面部及び天面部との間に、前記底面部より略垂直方向に形成された前面部と背面部、芯板を内包した左側面部と右側面部の四側面と芯板を内包した仕切り部にて形成された収納容器であって、前記前面部と前記天面部を開閉可能な開閉具を有している事を特徴とする。【選択図】図１
0003210582.tif 000002
【実用新案登録請求の範囲】
【請求項１】
衣類等を収納する収納容器において、底面部及び天面部との間に前記底面部から略垂直方向に形成された、前面部、背面部、左側面部、右側面部の四側面にて形成された前記収納容器であって、前記前面部と前記天面部を開口する開閉具と前記収納容器内部に仕切り部を設けた事を特徴とする収納容器。
【請求項２】
本体基材には生地を使用し前記左側面部、前記右側面部、前記仕切り部、前記前面部、前記背面部、前記底面部、前記天面部の何れか或はすべてに、芯板を内包している請求項１記載の収納容器
【請求項３】
前記仕切り部は前記底面部を起点とし前記天面部方向に略水平方向から略垂直方向に自由な方向で使用する事が出来る請求項１及２記載の収納容器。
【請求項４】
前記開閉具は前記天面部と前記前面部を同時に開閉可能なスライドファスナーである事を特徴とする請求項１から３何れかに記載の収納容器
【請求項５】
前記前面部、前記背面部、前記左側面部、前記右側面部の四側面及び前記天面部に透明又は半透明からなる収納物を確認し得る内部確認用窓部を設けた事を特徴とする請求項１から４何れか記載の収納容器
【請求項６】
前記前面部、前記背面部、前記左側面部、前記右側面部の四側面または前記天面部の収納容器内側面あるいは前記仕切り部にポケット状の収納部を設けた事を特徴とする請求項１から５何れか記載の収納容器
【請求項７】
前記左側面部と前記右側面部の外側面に持ち手部を設けた事を特徴とする請求項１から６何れか記載の収納容器
【考案の詳細な説明】
【技術分野】
【０００１】本考案は衣類等の収納物を収納する収納容器に関する。
【背景技術】
【０００２】衣類等の収納物を保管する際にゴミやホコリ等が付着する事を防ぎ、また引っ越し時などにも用いられるこの様な収納容器は従来より種々のタイプがあり幅広く利用されている。【０００３】この様な収納容器には不織布等の生地を使用し、開閉具を用い天面部三辺が開口する構造と成っている物が一般的である。
【考案の概要】
【考案が解決しようとする課題】
【０００４】従来の収納容器を積層しての使用時には、下部の収納容器内の収納物を取り出す時或いは収納時には、上部の収納容器を取り除け天面部を開口し収納物を収納或いは取り出す必要があった。
このため従来の収納容器では上部の収納容器を一時的に置いておくスペースと、収納容器を取り除ける労力を必要とする。【０００５】また従来の収納容器を積層しての使用時には、収納容器本体が軟質で倒潰しやすい場合もある。
このため従来の収納容器では下部の収納容器の収納物を平らになる様に収納し、収納容器の天面部を略平坦にする必要がある。【０００６】また従来の収納容器では、収納容器内に複数の収納物を積み上げて収納している場合、下方の収納物を取り出す際は、上部の収納物を取り除ける必要があり上部の収納物を一時的に置いておくスペースと収納物を取り除ける労力を必要とし、また本体基材が軟質なため収納物が倒れやすい場合もあった。【０００７】また従来の収納容器では、下部の収納物を確認する場合にも上部の収納物を取り除ける必要があり、上部の収納物を一時的に置いておくスペースと収納物を取り除ける労力を必要とする。【０００８】また衣類等の保管の際には防虫剤等を使用する場合もあり、収納容器内に防虫剤の収納部が必要となる場合もある。【０００９】また収納容器を収納場所から取り出す際や運搬時には持ち手がある方が望ましい。
【課題を解決するための手段】
【００１０】本考案は上記問題点を鑑み利便性を向上させた収納容器を提供する事である。
本考案に係る収納容器は本体基材に生地を使用し底面部及び天面部との間に前記底面部より略垂直方向に形成された前面部と背面部、芯板を内包した左側面部と右側面部の四側面と納容器内部に芯板を内包した仕切り部を設け形成された収納容器であって、前記前面部と前記天面部を開閉可能なスライドファスナーを有した構造となっている。【００１１】上記構成によれば、収納場所のスペースが狭く複数の収納容器を積層しての使用時には、前記収納容器は前記前面部と前記天面部を前記開閉可能なスライドファスナーを有している為、前記前面部のみを開口し収納物を収納或いは取り出す事ができ利便性が向上する。【００１２】上記構成によれば前記仕切り部、前記左側面部、前記右側面部には芯板を内包しているため収納容器を積層状態でも保管し易く、また収納容器と収納物が崩れる事を防ぐ事が出来る。【００１３】上記構成において前記仕切り部は前記底面部を起点とし前記天面部方向に略水平方向から略垂直方向に自由な方向で使用する事が出来る構成とする。
この構成によれば収納物の大きさや数量等によって収納容器内部の空間を適宜変更する事が出来る。【００１４】また上記構成において本考案に係る収納容器は透明あるいは半透明の軟質のポリエチレンやＥＶＡから成る内部確認用窓部を設けた構成とする。
この構成によれば複数の収納容器を積層しての使用時には、収納容器内下部の収納物を確認する為に上部の収納容器や収納物を取り除ける必要が無く前記内部確認用窓部から内部の収納物を確認出来る。【００１５】また上記構成において本考案に係る収納容器は収納容器内側面にポケット状の収納部を設けた構成とする。
この構成によれば衣類等の収納物保管の際には防虫剤等を前記ポケット状収納部に入れて使用する事が出来利便性が向上する。【００１６】また上記構成において本考案に係る収納容器は、収納容器外側面に持ち手部を設けた構成とする。
この構成によれば収納容器を取り除ける際や運搬時には前記持ち手部を使用する事が出来利便性が向上する。
【考案の効果】
【００１７】本考案に係る衣類等の収納容器は積層保管し易く収納物が崩れにくく、また収納物の収納と取出しが容易な収納容器を提供する事である。
【考案を実施するための形態】
【００１８】以下、本考案の一実施形態を図面に基づき説明する。
なお図１〜２の左側面部１ｃに点線にて表記されている持ち手部２ｂは収納容器外側面３ｂに配置されているものとする。
また仕切り部２ｃは図１〜２の斜線部にて表記されている。
【００１９】図１は、本考案の前面部と天面部が開口状態で仕切り部が略垂直方向の斜視図である。
【００２０】図２は前面部と天面部が開口状態で仕切り部が左側面部方向に略水平に斜倒した状態の斜視図である。
【００２１】図３は前面部と天面部が閉口状態の斜視図である。
【００２２】本考案に係る収納容器は衣類やタオル等を収納する収納容器であって底面部１ａ、右側面部１ｂ、左側面部１ｃ、背面部１ｄ、前面部１ｅ、天面部１ｆから成る６面体形状で、本体基材は不織布にて形成されている。
【００２３】なお本体基材は不織布に限定されず布、軟質合成樹脂シート、皮などが適宜使用される。
【００２４】図１〜２に示す様に収納容器内部には仕切り部２ｃを設けている。
【００２５】仕切り部２ｃ、右側面部１ｂ、左側面部１ｃは同等程度の大きさとし、紙素材の芯板を内包している。
【００２６】なお内包される芯板は紙素材に限定されず、合成樹脂板などが適宜使用される。
また仕切り部２ｃの大きさは右側面部１ｂ、左側面部１ｃより小さい場合もあり仕切り部の数についても適宜変更可能とする。
【００２７】仕切り部下部４ｆは図１〜２に図示される様に、底面部１ａに縫合され右側面部１ｂ、左側面部１ｃ両方向に略垂直方向から略水平方向に傾動する構造とする。
【００２８】なお仕切り部下部４ｆの結合方法は縫合に限定されず、また仕切り部２ｃは傾動せず固定された状態やボタン、磁石、スナップ、マジックテープ等により取り外し可能な場合もある。
【００２９】図１及図３に示す開閉具２ａは左側面部上部４ａ、左側面部前部４ｂ、底面部前部４ｃ、右側面部前部４ｄ、右側面部上部４ｅに渡り設置され前面部１ｅ、天面部１ｆの勘合可能となる対象位置にも設置されたスライドファスナーである。
【００３０】なお開閉具はスライドファスナーに限定されずボタン、磁石、スナップ、マジックテープなど開閉可能な部材が適宜使用される。
【００３１】図３に示す様に内部確認用窓部２ｅは、前面部１ｅに配置され底面部１ａから天面部１ｆにかけて介設しポリプロピレン、ＥＶＡなど軟質で透明性がある素材が使用され収納容器内面側３ａの収納物が確認し易い構造となっている。
【００３２】なお内部確認用窓部２ｅの設置位置、素材、数、大きさについては適宜変更される。
【００３３】図２に示す様に背面部１ｄの収納容器内面側３ａには、１０ｃｍ四方程度のポケット状収納部２ｄを設けた構造となっている。
【００３４】なおポケット状収納部２ｄの設置位置、大きさ、数等は適宜変更可能とする。
【００３５】図１〜２に示す様に持ち手部２ｂは右側面部１ｂと左側面部１ｃの収納容器外側面３ｂの略対象位置に配置される。
【００３６】なお持ち手部の設置位置、設置数は適宜変更可能とする。
【００３７】以上、本考案の一実施例について説明したが、本考案は上記実施例に限定されるものではなく適宜変更実施可能とする。
【図面の簡単な説明】
【００３８】
【図１】本考案の前面部と天面部が開口状態で仕切り部が略垂直方向の斜視図である。
【図２】本考案の前面部と天面部が開口状態で仕切り部が左側面部方向に略水平に斜倒した状態の斜視図である。
【図３】本考案の前面部と天面部が閉口状態の斜視図である。
【符号の説明】
【００３９】１ａ  底面部
１ｂ  右側面部
１ｃ  左側面部
１ｄ  背面部
１ｅ  前面部
１ｆ  天面部
２ａ  開閉具
２ｂ  持ち手部
２ｃ  仕切り部
２ｄ  ポケット状収納部
２ｅ  内部確認用窓部
３ａ  収納容器内面側
３ｂ  収納容器外側面
４ａ  左側側面部上部
４ｂ  左側側面部前部
４ｃ  底面部前部
４ｄ  右側面部前部
４ｅ  右側面部上部
４ｆ  仕切り部下部
【図１】
0003210582.tif 000003
【図２】
0003210582.tif 000004
【図３】
0003210582.tif 000005